(57)【要約】      （修正有）【課題】自立式スタンドを持たない自転車を駐輪することができ、かつ、持ち運びが容易な駐輪ラックを多色化した自転車用携帯駐輪ラックを提供する。【解決手段】自転車用携帯駐輪ラックは、自転車のサドルを引っ掛けて支持可能な支持棒１１と、支持棒１１の左右に配置された折り畳み可能な脚部２０と、支持棒１１および脚部２０を接続した金具３０と、を備える。よって、折り畳むことができるので、持ち運びが容易である。また、支持棒１１および脚部２０が多色化されている。よって、意匠性の向上および識別力があり、利便性が高い。【選択図】図３
0003214516.tif 000002
【実用新案登録請求の範囲】
【請求項１】
自転車のサドルを引っ掛けて支持可能な支持棒と、
前記支持棒の左右に配置された折り畳み可能な脚部と、
前記支持棒および前記脚部を接続した金具と、
を備え、
前記支持棒および前記脚部が多色化されていることを特徴とする、自転車用携帯駐輪ラック。
【請求項２】
前記支持棒および前記金具が同色であることを特徴とする、請求項１に記載の自転車用携帯駐輪ラック。
【請求項３】
前記脚部は、略Ｖ字形に開くことができる一対の棒状部材と、
前記一対の棒状部材の間に架設可能な開き防止機構と、
を備え、
前記一対の棒状部材および前記開き防止機構が異色であることを特徴とする、請求項１に記載の自転車用携帯駐輪ラック。
【請求項４】
前記支持棒は、外棒および内棒からなり、前記外棒内に前記内棒が伸縮自在に挿入されていることを特徴とする請求項１又は２に記載の自転車用携帯駐輪ラック。
【請求項５】
前記外棒および前記内棒が多色化されていることを特徴とする請求項４に記載の自転車用携帯駐輪ラック。
【考案の詳細な説明】
【技術分野】
【０００１】
本考案は、ロードバイクなどの自立式スタンドを持たない自転車を駐輪することができ、かつ、持ち運びが容易な駐輪ラックを多色化した自転車用携帯駐輪ラックに関するものである。
【背景技術】
【０００２】
特許文献１には、自転車のサドルを架ける横棒を上下にずらした二本とし左右の支柱に取付けた自転車駐輪用スタンド型ハンガーが開示されている。
【先行技術文献】
【特許文献】
【０００３】
【特許文献１】実用新案登録第３１７７６７４号公報
【考案の概要】
【考案が解決しようとする課題】
【０００４】
しかし、上記したような自転車駐輪用スタンド型ハンガーでは、折り畳み式でないため、サイクリング大会等で使用する際に、解体したものを現地で組立ておよび使用後に解体して持ち帰らなければならず、使い勝手が悪い。また、色彩による識別力がないため、会場に持ち込まれた多数の駐輪ラックから持ち込んだ駐輪ラックを発見するには時間が掛かり、使い勝手が悪いという問題があった。
【０００５】
そこで、本考案は、自立式スタンドを持たない自転車を駐輪することができ、かつ、持ち運びが容易な駐輪ラックを多色化した自転車用携帯駐輪ラックを提供することを課題とする。
【課題を解決するための手段】
【０００６】
本考案は、上記した課題を解決するためになされたものであり、以下を特徴とする。
請求項１に記載の考案は、自転車のサドルを引っ掛けて支持可能な支持棒と、前記支持棒の左右に配置された折り畳み可能な脚部と、前記支持棒および前記脚部を接続した金具と、を備え、前記支持棒および前記脚部が多色化されていることを特徴とする。
【０００７】
請求項２に記載の考案は、請求項１に記載の考案の特徴点に加え、前記支持棒および前記金具が同色であることを特徴とする。
【０００８】
請求項３に記載の考案は、請求項１に記載の考案の特徴点に加え、前記脚部は、略Ｖ字形に開くことができる一対の棒状部材と、前記一対の棒状部材の間に架設可能な開き防止機構と、を備え、前記一対の棒状部材および前記開き防止機構が異色であることを特徴とする。
【０００９】
請求項４に記載の考案は、請求項１又は２に記載の考案の特徴点に加え、前記支持棒は、外棒および内棒からなり、前記外棒内に前記内棒が伸縮自在に挿入されていることを特徴とする。
【００１０】
請求項５に記載の考案は、請求項４に記載の考案の特徴点に加え、前記外棒および前記内棒が多色化されていることを特徴とする。
【考案の効果】
【００１１】
請求項１記載の考案は上記の通りであり、自転車のサドルを引っ掛けて支持可能な支持棒と、支持棒の左右に配置された折り畳み可能な脚部と、支持棒および脚部を接続した金具と、を備えているため、ロードバイクなどの自立式スタンドを持たない自転車を駐輪することができ、かつ、折り畳めることで持ち運びが容易であり、使い勝手が良い。また、支持棒および脚部が多色化されているため、着色を部材および部品によって変更することで、意匠性の向上およびサイクリング大会等において多数の自転車および駐輪ラックが集まる場所に個人所有の駐輪ラックを持ち込んでも、容易に駐輪ラックを発見できる識別力があり、利便性が高い。
【００１２】
請求項２に記載の考案は上記の通りであり、支持棒および金具が同色であるため、使用時に同一線上となる支持棒および金具が同色の色彩を施すことで、意匠の統一感を損なわない。
【００１３】
請求項３に記載の考案は上記の通りであり、脚部は、略Ｖ字形に開くことができる一対の棒状部材と、一対の棒状部材の間に架設可能な開き防止機構と、を備え、一対の棒状部材および開き防止機構が異色であるため、開き防止機構を注視でき、安全に使用することができる。
【００１４】
請求項４に記載の考案は上記の通りであり、支持棒は、外棒および内棒からなり、外棒内に内棒が伸縮自在に挿入されているため、自転車の台数に合わせて長さを変更でき、使い勝手が良い。
【００１５】
請求項５に記載の考案は上記の通りであり、外棒および内棒が多色化されているため、色分けにより、複数台の自転車のサドルを引っ掛ける際の目安となるので、サドル掛けの位置決めが容易にでき、駐輪時の自転車同士の接触等による傷を防止できる。
【図面の簡単な説明】
【００１６】
【図１】折り畳み状態の自転車用携帯駐輪ラックの外観図である。
【図２】使用状態の自転車用携帯駐輪ラックを示す外観図である（支持棒を縮めた状態）。
【図３】図２の一部拡大斜視図である。
【図４】金具の取り付け方法を示す分解斜視図である。
【図５】使用状態の自転車用携帯駐輪ラックを示す外観図である（支持棒を伸ばした状態）。
【図６】図５の一部拡大斜視図である。
【図７】変形例の支持棒に自転車のサドルを引っ掛けた状態を示す外観図である。
【考案を実施するための形態】
【００１７】
本考案の実施形態について、図を参照しつつ説明する。
【００１８】
本実施形態に係る自転車用携帯駐輪ラック１０は、例えば、ロードバイクなどの自立式スタンドを持たない自転車を駐輪するためのものであり、携帯可能に折り畳めるようになっている。この自転車用携帯駐輪ラック１０は、図１、図２に示すように、支持棒１１と、左右の脚部２０と、左右の金具３０と、を備えて構成される。
【００１９】
支持棒１１は、図７に示すように、自転車のサドル４０を引っ掛けて支持可能な棒状の部材である。本実施形態に係る支持棒１１は、図２、図５に示すように、左右の外棒１２と中央の内棒１３の３本を長手方向に伸縮可能に組み合わせて構成されている。具体的には、左右の外棒１２の内部に内棒１３が挿入されており、収縮時には図２に示すように、左右の外棒１２が付き合わせた状態となっている。このとき、左右の外棒１２の内部に内棒１３が収容されており、内棒１３は外部に露出しない。この状態から操作ボタンを押しながら左右の外棒１２のいずれか、またはどちらも離れる方向に引っ張ると、図５に示すように、左右の外棒１２の間に内棒１３が露出した状態となり、支持棒１１が伸長するようになっている。逆に、支持棒１１を収縮するときは、操作ボタンを押しながら左右の外棒１２のいずれか、またはどちらも縮める方向に押すと、図２に示すように、左右の外棒１２が突き合わせた状態となり、支持棒１１が収縮するようになっている。これにより、引っ掛ける自転車の台数によって、長さを調整することができる。また、図７に示すように、支持棒１１を１本で構成しても良い。これにより、自転車を少数台引っ掛けて使用をする（収縮を必要としない）場合は、部品および加工数が減るため、コストが抑えられる。
【００２０】
脚部２０は、支持棒１１の左右に配置されており、図２に示すように、使用時に支持棒１１を水平に支持するためのものである。左右の脚部２０は、図１に示すように、それぞれの脚部２０が支持棒１１の上方に水平な状態まで折り畳み可能に接続されている。具体的には、後述する金具３０によって、支持棒１１に対して回動可能に接続されており、金具３０が回転することで脚部２０も一体的に支持棒１１に対して回動し、支持棒１１の上方に水平な状態に折り畳めるように構成されている。
【００２１】
この脚部２０は、図２に示すように、略Ｖ字形に開くことができる一対の棒状部材２１と、一対の棒状部材２１の間に架設可能な開き防止機構２２と、を備える。具体的には、開き防止機構２２によって、一対の棒状部材２１を所定の角度で開いた状態に維持するように構成されている。
【００２２】
一対の棒状部材２１は、それぞれ金具３０に対して回動可能に取り付けられている。具体的には、図２、図４に示すように、一対の棒状部材２１の先端を回動軸２１ａによって金具３０に挟持し、回動可能に取り付けられている。
【００２３】
開き防止機構２２は、一対の棒状部材２１を所定の角度で開いた状態に維持するためのものである。具体的には、図２に示すように、開き防止機構２２の左右の端部および中心の３箇所に回転軸が設けられ、開き防止機構２２の両方の端部が回転軸を介して一対の棒状部材２１に取り付けられており、一対の棒状部材２１が閉じ状態の時は、くの字に折れ曲がり（図示なし）、図２に示すように、一対の棒状部材２１が開き状態の時は、水平に伸びるようになっており、一対の棒状部材２１の開閉をスムーズに行えるようになっている。
【００２４】
金具３０は、支持棒１１と脚部２０とを回動可能に接続するためのものである。具体的には、図４に示すように、支持棒１１を支持する支持棒支持部３１と、脚部２０を支持する脚部支持部３２とを連結したものであり、支持棒１１の端部および一対の棒状部材２１の先端を回動軸１１ａ、２１ａによって金具３０に挟持し、回動可能に支持している。
【００２５】
ところで、図３、図６に示すように、着色Ａ〜Ｅを部材および部品によって変更することで意匠性の向上を図っても良い。本実施形態に係る着色Ａ〜Ｅは、電解着色、染色、塗装により多色化を施せれば良く、これらに限定されない。図３に示すように、支持棒１１と金具３０および開き防止機構２２をＡ色、一対の棒状部材２１をＢ色の二色の色彩を施すことで、使用時に同一線上となる支持棒１１と金具３０が同色の色彩により意匠の統一感を損なわず、かつ、一対の棒状部材２１と開き防止機構２２が異色に設定されているので、開き防止機構２２を注視でき、安全に使用することができる。さらに、図６に示すように、支持棒１１の外棒１２および金具３０をＣ色、支持棒１１の内棒１３をＤ色、脚部２１をＥ色の三色の色彩を施すことで、支持棒１１の色分けにより、複数台の自転車のサドル４０を引っ掛ける際の目安となるので、サドル４０掛けの位置決めが容易にでき、駐輪時の自転車同士の接触等による傷を防止できる。なお、多色の部品および部材は、これらに限定されず、多色であれば良く、例えば、内棒１３と金具３０が同色でも良い。また、発光、滑り止め、防腐等の目的にあった成分を含有した着色剤を使用することで、より使い勝手の良い駐輪ラックが構成できる。よって、サイクリング大会等において多数の自転車および駐輪ラックが集まる場所に個人所有の駐輪ラックを持ち込んでも、容易に駐輪ラックを発見できる識別力があり、利便性が高い。
【００２６】
上記した自転車用携帯駐輪ラック１０を折り畳み状態から使用状態へと変形するときは、左右の金具３０および脚部２０を支持棒１１に対して約２７０度回転させ（図示なし）、一対の棒状部材２１を開き、開き防止機構２２を所定の状態にすることで自転車を駐輪することができる。さらに、自転車の台数により支持棒１１を伸ばすことで複数の自転車を駐輪することができる。以上で設置が完了する。
【００２７】
なお、自転車用携帯駐輪ラック１０を折り畳む際には、上記の手順を逆から実行すればよい。すなわち、支持棒１１を収縮させ、一対の棒状部材２１を閉じて、左右の金具３０及び脚部２０を支持棒１１に対して折り畳み方向に約２７０度回転させればよい（図示なし）。
【００２８】
以上説明したように、本実施形態によれば、自転車のサドル４０を引っ掛けて支持可能な支持棒１１と、支持棒１１の左右に配置された折り畳み可能な脚部２０と、支持棒１１および脚部２０を接続した金具３０と、を備えているため、ロードバイクなどの自立式スタンドを持たない自転車を駐輪することができ、かつ、折り畳めることで持ち運びが容易であり、使い勝手が良い。また、支持棒１１および脚部２０が多色化されているため、着色Ａ〜Ｅを部材および部品によって変更することで、意匠性の向上およびサイクリング大会等において多数の自転車および駐輪ラックが集まる場所に個人所有の駐輪ラックを持ち込んでも、容易に駐輪ラックを発見できる識別力があり、利便性が高い。
【００２９】
また、支持棒１１および金具３０が同色であるため、使用時に同一線上となる支持棒１１および金具３０が同色の色彩を施すことで、意匠の統一感を損なわない。
【００３０】
また、脚部２０は、略Ｖ字形に開くことができる一対の棒状部材２１と、一対の棒状部材２１の間に架設可能な開き防止機構２２と、を備え、一対の棒状部材２１および開き防止機構２２が異色であるため、開き防止機構２２を注視でき、安全に使用することができる。
【００３１】
また、支持棒１１は、外棒１２および内棒１３からなり、外棒１２内に内棒１３が伸縮自在に挿入されているため、自転車の台数に合わせて長さを変更でき、使い勝手が良い。
【００３２】
また、外棒１２および内棒１３が多色化されているため、色分けにより、複数台の自転車のサドル４０を引っ掛ける際の目安となるので、サドル４０掛けの位置決めが容易にでき、駐輪時の自転車同士の接触等による傷を防止できる。
【符号の説明】
【００３３】
１０  自転車用携帯駐輪ラック
１１  支持棒
１１ａ  回動軸
１２  外棒
１３  内棒
２０  脚部
２１  棒状部材
２１ａ  回動軸
２２  開き防止機構
３０  金具
３１  支持棒支持部
３２  脚部支持部
４０  サドル
Ａ、Ｂ、Ｃ、Ｄ、Ｅ  着色
【図１】
0003214516.tif 000003
【図２】
0003214516.tif 000004
【図３】
0003214516.tif 000005
【図４】
0003214516.tif 000006
【図５】
0003214516.tif 000007
【図６】
0003214516.tif 000008
【図７】
0003214516.tif 000009